【手続補正書】
【提出日】平成30年11月26日(2018.11.26)
【手続補正１】
【補正対象書類名】明細書
【補正対象項目名】発明の名称
【補正方法】変更
【補正の内容】
【発明の名称】情報処理装置、情報処理システム、制御方法、及びプログラム
【手続補正２】
【補正対象書類名】明細書
【補正対象項目名】００１１
【補正方法】変更
【補正の内容】
【００１１】
そこで、本発明では、情報処理装置に表示された監視対象を識別可能表示することで、ユーザにとって、何れの監視対象を参照しているのかを識別することが可能な情報処理装置、情報処理システム、制御方法、及びプログラムを提供することを目的とする。
【手続補正３】
【補正対象書類名】明細書
【補正対象項目名】００１２
【補正方法】変更
【補正の内容】
【００１２】
上記の目的を達成するための第１の発明は、複数のカメラからネットワークを介して配信される複数の画像を表示可能な情報処理装置であって、前記配送された画像のうち、１つの画像を主画面に、複数の画像を副画面にそれぞれ表示する制御を行う表示制御手段と、前記カメラで撮影した対象を明示するための情報を示すカメラ関連情報を記憶する記憶手段と、前記主画面へ表示する画像を選定する選定手段と、前記選定手段によって選定した画像を表示する前記副画面及び前記主画面の表示切り替えを行う表示切替手段と、前記主画面に対する操作指示を受付ける操作指示受付手段と、を備え、前記表示制御手段は、前記表示切替手段によって画面の表示切り替えがなされた前記副画面に表示された画像に対応する前記記憶手段のカメラ関連情報が前記主画面に表示された状態で、前記操作指示受付手段によって前記主画面に対して操作指示がなされると、前記主画面に表示されるカメラ関連情報の表示の態様を非表示とすることなく変更するように制御することを特徴とする。
【手続補正４】
【補正対象書類名】明細書
【補正対象項目名】００１３
【補正方法】変更
【補正の内容】
【００１３】
上記の目的を達成するための第２の発明は、複数のカメラからネットワークを介して配信される複数の画像を表示可能な情報処理装置の制御方法であって、前記情報処理装置は、前記配送された画像のうち、１つの画像を主画面に、複数の画像を副画面にそれぞれ表示する制御を行う表示制御ステップと、前記主画面へ表示する画像を選定する選定ステップと、前記選定ステップによって選定した画像を表示する前記副画面及び前記主画面の表示切り替えを行う表示切替ステップと、前記主画面に対する操作指示を受付ける操作指示受付ステップと、を備え、前記表示制御ステップは、前記表示切替ステップによって画面の表示切り替えがなされた前記副画面に表示された画像に対応する、前記カメラで撮影した対象を明示するための情報を示すカメラ関連情報を記憶する記憶手段のカメラ関連情報が前記主画面に表示された状態で、前記操作指示受付ステップによって前記主画面に対して操作指示がなされると、前記主画面に表示されるカメラ関連情報の表示の態様を非表示とすることなく変更するように制御することを特徴とする。
【手続補正５】
【補正対象書類名】明細書
【補正対象項目名】００１４
【補正方法】変更
【補正の内容】
【００１４】
上記の目的を達成するための第３の発明は、コンピュータを、複数のカメラからネットワークを介して配信される複数の画像のうち、１つの画像を主画面に、複数の画像を副画面にそれぞれ表示する制御を行う表示制御手段と、前記主画面へ表示する画像を選定する選定手段と、前記選定手段によって選定した画像を表示する前記副画面及び前記主画面の表示切り替えを行う表示切替手段と、前記主画面に対する操作指示を受付ける操作指示受付手段と、して機能させ、前記表示制御手段は、前記表示切替手段によって画面の表示切り替えがなされた前記副画面に表示された画像に対応する、前記カメラで撮影した対象を明示するための情報を示すカメラ関連情報を記憶する記憶手段のカメラ関連情報が前記主画面に表示された状態で、前記操作指示受付手段によって前記主画面に対して操作指示がなされると、前記主画面に表示されるカメラ関連情報の表示の態様を非表示とすることなく変更するように制御することを特徴とする、として機能させるためのプログラムである。
【手続補正６】
【補正対象書類名】明細書
【補正対象項目名】００１５
【補正方法】変更
【補正の内容】
【００１５】
本発明によれば、情報処理装置に表示された監視対象を識別可能表示することで、ユーザにとって、何れの監視対象を参照しているのかを識別することが可能となる、という効果を奏する。
【手続補正７】
【補正対象書類名】明細書
【補正対象項目名】００２６
【補正方法】変更
【補正の内容】
【００２６】
携帯端末１１０は、無線通信回線であるネットワーク１１２、インターネット、及びネットワーク１１４を介して、ネットワークカメラ１０２及び画像処理サーバ１０８と接続されており、携帯端末１１０は、Ｗｅｂブラウザを用いて、画像処理サーバ１０８に記憶管理された画像データの参照を行う保存画像再生表示、あるいは画像処理サーバ１０８を介さず、ネットワークカメラ１０２において撮影された画像データを直接参照するＬＩＶＥ画像表示の何れかの表示方法を選択することが可能である。
【手続補正８】
【補正対象書類名】明細書
【補正対象項目名】００６２
【補正方法】変更
【補正の内容】
【００６２】
また、表示部２１０に対して触れる操作等によって、センター画面６０２と各サイド画面であるサイド１画面６０４、サイド２画面６０６、及びサイド３画面６０８とを入れ替えることが可能であり、入れ替え対象となるサイド画面からセンター画面６０２に向けて、ドラック＆ドロップ的な機能を適用させて、入れ替えを行うことも可能であり、逆に、センター画面６０２から何れかのサイド画面に向けて、ドラック＆ドロップ的な機能を適用させて、入れ替えを行うことも可能である。
【手続補正９】
【補正対象書類名】明細書
【補正対象項目名】００６９
【補正方法】変更
【補正の内容】
【００６９】
しかしながら、携帯端末１１０の表示部２１０は、表示領域が狭いため、ユーザの視認性を考慮すると、極力、ネットワークカメラ１０２で撮影された画像データを大きく表示する必要があり、余白を設定することは極力回避し、更に、撮影された画像データに直接組込むことを行うと、当該撮影された画像データの可視領域が狭くなり、ユーザにとっては、視認性が劣るという問題が生じてしまう。
【手続補正１０】
【補正対象書類名】明細書
【補正対象項目名】００８０
【補正方法】変更
【補正の内容】
【００８０】
また、カメラ選択画面８００は、メニュー画面５００へ画面遷移を行うためのメニューボタン８０４を備えており、ユーザが、表示部２１０に対して触れることによって、メニューボタン８０４を押下すると、カメラ選択画面８００を閉じて、メニュー画面５００を起動する。
【手続補正１１】
【補正対象書類名】明細書
【補正対象項目名】００８１
【補正方法】変更
【補正の内容】
【００８１】
更に、カメラ選択画面８００は、グループ選択画面７００へ画面遷移を行うための戻るボタン８０６を備えており、ユーザが、表示部２１０に対して触れることによって、戻るボタン８０６を押下すると、カメラ選択画面８００を閉じて、グループ選択画面７００を起動する。
【手続補正１２】
【補正対象書類名】明細書
【補正対象項目名】００８８
【補正方法】変更
【補正の内容】
【００８８】
更に、保存履歴選択画面９００は、カメラ選択画面８００へ画面遷移を行うための戻るボタン９０６を備えており、ユーザが、表示部２１０に対して触れることによって、戻るボタン９０６を押下すると、保存履歴選択画面９００を閉じて、カメラ選択画面８００を起動する。
【手続補正１３】
【補正対象書類名】明細書
【補正対象項目名】００９１
【補正方法】変更
【補正の内容】
【００９１】
ユーザは、画像データ一覧１００２に表示された画像データのうち再生表示を所望する画像データに対して、表示部２１０に対して触れることによって、選択を行うと、選択を行った画像データに該当する画像データを画像処理サーバ１０８より取得し、図１１に示す画像再生画面１１００を起動する。
【手続補正１４】
【補正対象書類名】明細書
【補正対象項目名】００９２
【補正方法】変更
【補正の内容】
【００９２】
また、画像データ選択画面１０００は、メニュー画面５００へ画面遷移を行うためのメニューボタン１００４を備えており、ユーザが、表示部２１０に対して触れることによって、メニューボタン１００４を押下すると、画像データ選択画面１０００を閉じて、メニュー画面５００を起動する。
【手続補正１５】
【補正対象書類名】明細書
【補正対象項目名】００９３
【補正方法】変更
【補正の内容】
【００９３】
更に、画像データ選択画面１０００は、保存履歴選択画面９００へ画面遷移を行うための戻るボタン１００６を備えており、ユーザが、表示部２１０に対して触れることによって、戻るボタン１００６を押下すると、画像データ選択画面１０００を閉じて、保存履歴選択画面９００を起動する。
【手続補正１６】
【補正対象書類名】明細書
【補正対象項目名】０１００
【補正方法】変更
【補正の内容】
【０１００】
また、画像再生画面１１００は、メニュー画面５００へ画面遷移を行うためのメニューボタン１０１６を備えており、ユーザが、表示部２１０に対して触れることによって、メニューボタン１０１６を押下すると、画像再生画面１１００を閉じて、メニュー画面５００を起動する。
【手続補正１７】
【補正対象書類名】明細書
【補正対象項目名】０１０１
【補正方法】変更
【補正の内容】
【０１０１】
更に、画像再生画面１１００は、画像データ選択画面１０００へ画面遷移を行うための戻るボタン１０１８を備えており、ユーザが、表示部２１０に対して触れることによって、戻るボタン１０１８を押下すると、画像再生画面１１００を閉じて、画像データ選択画面１０００を起動する。
【手続補正１８】
【補正対象書類名】明細書
【補正対象項目名】０１３４
【補正方法】変更
【補正の内容】
【０１３４】
ステップＳ２２８では、ＬＩＶＥ画像表示画面６００の各分割画面が入れ替えられたか否かを判定する。この判定は、前述した通り、ボタン６１０及びボタン６１２が押下された場合、あるいは、ドラック＆ドロップ的な機能を用いて分割画面の入れ替えを検知した場合、入れ替えが発生したと判定し、ステップＳ２３０へ処理を進め、入れ替えが発生したと判定しない場合、ステップＳ２３２へ処理を進める。
【手続補正１９】
【補正対象書類名】明細書
【補正対象項目名】０１６６
【補正方法】変更
【補正の内容】
【０１６６】
尚、ユーザからの指示入力の例としては、センター画面６０２、あるいは再生表示部１１０２に対して、名称画像データが表示された状態で、１回、触れられた操作を検知した場合、名称画像データを残すものとして処理を行うことが可能である。
【手続補正２０】
【補正対象書類名】明細書
【補正対象項目名】０１６９
【補正方法】変更
【補正の内容】
【０１６９】
また、この場合、名称画像データが表示された状態で、指示入力として、１回、触れられた操作を検知して、名称画像データの圧縮も兼ねて移動させることも可能であるが、元々、表示された位置に残す、圧縮も兼ねて移動させる、両ケースを、１回、触れられた操作を検知した後、不図示のリストから選択する形態も取ることが可能である。
【手続補正２１】
【補正対象書類名】明細書
【補正対象項目名】０１７５
【補正方法】変更
【補正の内容】
【０１７５】
また、この場合、指示入力として、名称画像データが表示された状態で、１回、触れられた操作を検知して、圧縮する比率を大きな比率に置き換えて、画像データ及び名称画像データを圧縮させて表示することも可能であるが、圧縮する比率を、そのままの比率とするのか、あるいは大きな比率とするのか、両ケースを、１回、触れられた操作を検知した後、不図示のリストから選択する形態も取ることが可能である。
【手続補正２２】
【補正対象書類名】明細書
【補正対象項目名】０１７８
【補正方法】変更
【補正の内容】
【０１７８】
また、この場合、指示入力として、名称画像データを表示した状態で、１回、触れられた操作を検知して、そのままの比率で、あるいは小さい比率で、名称画像データの圧縮も兼ねて移動させることも可能であるが、元々、表示された位置に残す、圧縮も兼ねて移動させる、両ケースを、１回、触れられた操作を検知した後、不図示のリストから選択する形態も取ることが可能である。
【手続補正２３】
【補正対象書類名】明細書
【補正対象項目名】０１７９
【補正方法】変更
【補正の内容】
【０１７９】
また、１回触れられた操作を検知した後、圧縮率をそのままの比率で、あるいは小さい比率で行うのかを選択する形態も取ることが可能である。
【手続補正２４】
【補正対象書類名】明細書
【補正対象項目名】０１８１
【補正方法】変更
【補正の内容】
【０１８１】
尚、センター画面６０２からサイド画面に入れ替えるタイミングで、センター画面６０２において名称画像データを残すように指示入力を行った場合、名称画像データを削除する形態も取ることが可能であるし、センター画面６０２に名称画像データが残された状態で、触れられた操作を検知すると、名称画像データを削除する形態も取ることが可能である。
【手続補正２５】
【補正対象書類名】明細書
【補正対象項目名】０１８２
【補正方法】変更
【補正の内容】
【０１８２】
更に、ＬＩＶＥ画像表示画面６００の初期起動時に、ステップＳ２２２では、全ての分割画面に名称画像データを表示することも可能であり、その場合、触れられた操作によって全ての各分割画面に表示された名称画像データを削除することも可能であるし、触れられた操作を検知後、名称画像データを残すことを所望する分割画面を不図示のリストから選択し、それ以外の分割画面の名称画像データを削除する形態も取ることが可能である。
【手続補正２６】
【補正対象書類名】特許請求の範囲
【補正対象項目名】全文
【補正方法】変更
【補正の内容】
【特許請求の範囲】
【請求項１】
複数のカメラからネットワークを介して配信される複数の画像を表示可能な情報処理装置であって、
前記配送された画像のうち、１つの画像を主画面に、複数の画像を副画面にそれぞれ表示する制御を行う表示制御手段と、
前記カメラで撮影した対象を明示するための情報を示すカメラ関連情報を記憶する記憶手段と、
前記主画面へ表示する画像を選定する選定手段と、
前記選定手段によって選定した画像を表示する前記副画面及び前記主画面の表示切り替えを行う表示切替手段と、
前記主画面に対する操作指示を受付ける操作指示受付手段と、
を備え、
前記表示制御手段は、前記表示切替手段によって画面の表示切り替えがなされた前記副画面に表示された画像に対応する前記記憶手段のカメラ関連情報が前記主画面に表示された状態で、前記操作指示受付手段によって前記主画面に対して操作指示がなされると、前記主画面に表示されるカメラ関連情報の表示の態様を非表示とすることなく変更するように制御することを特徴とする情報処理装置。
【請求項２】
前記表示切替手段によって画面の表示切り替えがなされた前記副画面に表示された画像に対応する前記記憶手段のカメラ関連情報を前記主画面に表示してから所定時間経過すると、ユーザが前記画像を視認しやすいように当該カメラ関連情報の表示を非表示とするように制御し、一方、前記カメラ関連情報が前記主画面に表示された状態で、前記操作指示受付手段によって前記主画面に対して操作指示がなされると、前記主画面に表示されるカメラ関連情報の表示の態様を非表示とすることなく変更するように制御することを特徴とする請求項１に記載の情報処理装置。
【請求項３】
前記表示制御手段は、前記主画面に前記カメラ関連情報が表示された状態で、前記操作指示受付手段によって前記主画面に対して操作指示がなされると、前記主画面に表示されるカメラ関連情報の位置を変更することを特徴とする請求項１または２に記載の情報処理装置。
【請求項４】
前記表示制御手段は、前記主画面に表示されるカメラ関連情報の位置を変更する際に、前記カメラ関連情報を縮小して変更することを特徴とする請求項３に記載の情報処理装置。
【請求項５】
前記表示制御手段は、前記主画面に前記カメラ関連情報が表示された状態で、前記表示切替手段による画面の表示切り替えがなされると、前記副画面に対して前記主画面に表示された画像及びカメラ関連情報を表示することを特徴とする請求項１乃至４の何れか１項に記載の情報処理装置。
【請求項６】
前記表示制御手段は、前記主画面に前記カメラ関連情報が表示された状態で、前記表示切替手段による画面の表示切り替えがなされると、前記副画面に対して前記主画面に表示された画像に対するカメラ関連情報の大きさの比率を、大きな比率で表示することを特徴とする請求項５に記載の情報処理装置。
【請求項７】
前記表示制御手段は、前記主画面に前記カメラ関連情報が表示された状態で、前記表示切替手段による画面の表示切り替えがなされると、前記副画面に対して前記主画面に表示された画像に対するカメラ関連情報の位置を変更して表示することを特徴とする請求項５または６に記載の情報処理装置。
【請求項８】
前記表示制御手段は、前記主画面に前記カメラ関連情報が表示された状態で、前記表示切替手段による画面の表示切り替えがなされると、前記副画面に対して前記主画面に表示された画像に対するカメラ関連情報の大きさの比率を、小さな比率で表示するとともに、前記画像に対するカメラ関連情報の位置を変更して表示することを特徴とする請求項５乃至７の何れか１項に記載の情報処理装置。
【請求項９】
前記表示制御手段は、前記主画面に前記カメラ関連情報が表示された状態で、前記操作指示受付手段によって主画面に対して操作指示がなされると、前記所定時間経過後、時間の経過によって、前記カメラ関連情報を非表示とすることなく継続して表示することを特徴とする請求項２に記載の情報処理装置。
【請求項１０】
複数のカメラからネットワークを介して配信される複数の画像を表示可能な情報処理装置と、画像処理サーバとが通信可能な情報処理システムであって、
前記情報処理装置は、
前記配送された画像のうち、１つの画像を主画面に、複数の画像を副画面にそれぞれ表示する制御を行う表示制御手段と、
前記主画面へ表示する画像を選定する選定手段と、
前記選定手段によって選定した画像を表示する前記副画面及び前記主画面の表示切り替えを行う表示切替手段と、
前記主画面に対する操作指示を受付ける操作指示受付手段と、
前記画像処理サーバの送信手段によって送信されたカメラ関連情報を受信する受信手段と、
を備え、
前記画像処理サーバは、
前記カメラで撮影した対象を明示するための情報を示すカメラ関連情報を記憶する記憶手段と、
前記カメラ関連情報を記憶手段から取得して前記情報処理装置へ送信する送信手段と、
を備え、
前記表示制御手段は、前記表示切替手段によって画面の表示切り替えがなされた前記副画面に表示された画像に対応する前記記憶手段のカメラ関連情報が前記主画面に表示された状態で、前記操作指示受付手段によって前記主画面に対して操作指示がなされると、前記主画面に表示されるカメラ関連情報の表示の態様を非表示とすることなく変更するように制御することを特徴とする情報処理システム。
【請求項１１】
複数の画像を表示可能な情報処理装置であって、
１つの画像を主画面に、１つの画像を主画面に、複数の画像を副画面にそれぞれ表示する制御を行う表示制御手段と、
前記カメラで撮影した対象を明示するための情報を示すカメラ関連情報を記憶する記憶手段と、
前記主画面へ表示する画像を選定する選定手段と、
前記選定手段によって選定した画像を表示する前記副画面及び前記主画面の表示切り替えを行う表示切替手段と、
前記主画面に対する操作指示を受付ける操作指示受付手段と、
を備え、
前記表示制御手段は、前記表示切替手段によって画面の表示切り替えがなされた前記副画面に表示された画像に対応する前記記憶手段のカメラ関連情報が前記主画面に表示された状態で、前記操作指示受付手段によって前記主画面に対して操作指示がなされると、前記主画面に表示されるカメラ関連情報の表示の態様を非表示とすることなく変更するように制御することを特徴とする情報処理装置。
【請求項１２】
複数のカメラからネットワークを介して配信される複数の画像を表示可能な情報処理装置の制御方法であって、
前記情報処理装置は、
前記配送された画像のうち、１つの画像を主画面に、複数の画像を副画面にそれぞれ表示する制御を行う表示制御ステップと、
前記主画面へ表示する画像を選定する選定ステップと、
前記選定ステップによって選定した画像を表示する前記副画面及び前記主画面の表示切り替えを行う表示切替ステップと、
前記主画面に対する操作指示を受付ける操作指示受付ステップと、
を備え、
前記表示制御ステップは、前記表示切替ステップによって画面の表示切り替えがなされた前記副画面に表示された画像に対応する、前記カメラで撮影した対象を明示するための情報を示すカメラ関連情報を記憶する記憶手段のカメラ関連情報が前記主画面に表示された状態で、前記操作指示受付ステップによって前記主画面に対して操作指示がなされると、前記主画面に表示されるカメラ関連情報の表示の態様を非表示とすることなく変更するように制御することを特徴とする情報処理装置の制御方法。
【請求項１３】
コンピュータを、
複数のカメラからネットワークを介して配信される複数の画像のうち、１つの画像を主画面に、複数の画像を副画面にそれぞれ表示する制御を行う表示制御手段と、
前記主画面へ表示する画像を選定する選定手段と、
前記選定手段によって選定した画像を表示する前記副画面及び前記主画面の表示切り替えを行う表示切替手段と、
前記主画面に対する操作指示を受付ける操作指示受付手段と、
して機能させ、
前記表示制御手段は、前記表示切替手段によって画面の表示切り替えがなされた前記副画面に表示された画像に対応する、前記カメラで撮影した対象を明示するための情報を示すカメラ関連情報を記憶する記憶手段のカメラ関連情報が前記主画面に表示された状態で、前記操作指示受付手段によって前記主画面に対して操作指示がなされると、前記主画面に表示されるカメラ関連情報の表示の態様を非表示とすることなく変更するように制御することを特徴とする、として機能させるためのプログラム。
【請求項１４】
複数のカメラからネットワークを介して配信される複数の画像を表示可能な情報処理装置と、画像処理サーバとが通信可能な情報処理システムの制御方法であって、
前記情報処理装置は、
前記配送された画像のうち、１つの画像を主画面に、複数の画像を副画面にそれぞれ表示する制御を行う表示制御ステップと、
前記主画面へ表示する画像を選定する選定ステップと、
前記選定ステップによって選定した画像を表示する前記副画面及び前記主画面の表示切り替えを行う表示切替ステップと、
前記主画面に対する操作指示を受付ける操作指示受付ステップと、
前記画像処理サーバの送信ステップによって送信されたカメラ関連情報を受信する受信ステップと、
を実行し、
前記画像処理サーバは、
前記カメラ関連情報を、前記カメラで撮影した対象を明示するための情報を示すカメラ関連情報を記憶する記憶手段から取得して前記情報処理装置へ送信する送信ステップと、
を実行し、
前記表示制御ステップは、前記表示切替ステップによって画面の表示切り替えがなされた前記副画面に表示された画像に対応する前記記憶手段のカメラ関連情報が前記主画面に表示された状態で、前記操作指示受付ステップによって前記主画面に対して操作指示がなされると、前記主画面に表示されるカメラ関連情報の表示の態様を非表示とすることなく変更するように制御することを実行することを特徴とする情報処理システムの制御方法。
【請求項１５】
複数の画像を表示可能な情報処理装置の制御方法であって、
前記情報処理装置は、
１つの画像を主画面に、１つの画像を主画面に、複数の画像を副画面にそれぞれ表示する制御を行う表示制御ステップと、
前記カメラで撮影した対象を明示するための情報を示すカメラ関連情報を記憶する記憶手段と、
前記主画面へ表示する画像を選定する選定ステップと、
前記選定ステップによって選定した画像を表示する前記副画面及び前記主画面の表示切り替えを行う表示切替ステップと、
前記主画面に対する操作指示を受付ける操作指示受付ステップと、
を実行し
前記表示制御手段は、前記表示切替手段によって画面の表示切り替えがなされた前記副画面に表示された画像に対応する、前記カメラで撮影した対象を明示するための情報を示すカメラ関連情報を記憶する記憶手段のカメラ関連情報が前記主画面に表示された状態で、前記操作指示受付手段によって前記主画面に対して操作指示がなされると、前記主画面に表示されるカメラ関連情報の表示の態様を非表示とすることなく変更するように制御することを実行することを特徴とする情報処理装置の制御方法。
【請求項１６】
複数の画像を表示可能な情報処理装置で読取実行可能なプログラムあって、
前記情報処理装置を
１つの画像を主画面に、１つの画像を主画面に、複数の画像を副画面にそれぞれ表示する制御を行う表示制御手段と、
前記主画面へ表示する画像を選定する選定手段と、
前記選定手段によって選定した画像を表示する前記副画面及び前記主画面の表示切り替えを行う表示切替手段と、
前記主画面に対する操作指示を受付ける操作指示受付手段と、
して機能させ、
前記表示制御手段は、前記表示切替手段によって画面の表示切り替えがなされた前記副画面に表示された画像に対応する、前記カメラで撮影した対象を明示するための情報を示すカメラ関連情報を記憶する記憶手段のカメラ関連情報が前記主画面に表示された状態で、前記操作指示受付手段によって前記主画面に対して操作指示がなされると、前記主画面に表示されるカメラ関連情報の表示の態様を非表示とすることなく変更するように制御するものとして機能させるためのプログラム。